(57)【要約】【課題】可能な限り曲率を大きくでき、機械的強度にも優れ、加工機械等により制約されるサイズよりも長尺なサイズとすることができ、製品の機能等により湾曲されることが必要な部材として使用する範囲を拡大することができる新規なシート状積層体等を提供する。【解決手段】表面に木目Ｇが平行に形成された可撓性板材２の表面又は裏面の何れか一方に、可撓性を有するシート体３が接着手段により接着されてなるシート状積層体であって、上記可撓性板材２は、全体が０．１ｍｍ〜２．０ｍｍの板厚とされてなるとともに、上記木目Ｇの長さ方向とは直交する方向に複数接着剤を介して積層されて板状とされてなる。【選択図】        図１
2017154454.tif 000002
【特許請求の範囲】
【請求項１】
表面に木目が平行に形成された可撓性板材の表面又は裏面の何れか一方に、可撓性を有するシート体が接着手段により接着されてなるシート状積層体であって、
上記可撓性板材は、全体が０．１ｍｍ〜２．０ｍｍの板厚とされてなるとともに、上記木目の長さ方向とは直交する方向に複数接着剤を介して積層されて板状とされてなることを特徴とするシート状積層体。
【請求項２】
前記シート体には、前記可撓性板材が積層された面とは反対の面に該可撓性板材と同じ方向に木目が形成された他の可撓性板材が接着手段を介して積層されてなることを特徴とするシート状積層体。
【請求項３】
前記請求項１記載の発明に係るシート状積層体を使用したブックカバーであって、
前記シート状積層体により方形状に成形され、書籍の表紙、裏表紙及び背表紙をカバーする本体部と、この本体部の左側中途部又は右側中途部に形成された折り返し部と、この折り返し部を介して上記本体部に連続してなり上記書籍の表表紙又は裏表紙を上記本体部との間で挟む挟み片と、を備え、上記シート状積層体の表面は、縦方向に長さを有した木目が位置した状態で前記可撓性板材が外部に露出し、裏面には０．５ｍｍ〜３．０ｍｍの厚みの天然皮革又は合成皮革が前記シート体として配置されてなることを特徴とするブックカバー。
【請求項４】
前記請求項１又は請求項２記載の発明に係る何れかのシート状積層体を使用したファイル用文具カバーであって、
該請求項１又は２記載の発明の何れかに係るシート状積層体により方形状に成形された表紙部と、この表紙部の一側に連続してなる背表紙部と、この背表紙部の一側に連続してなる裏表紙部と、上記背表紙部の内側に取り付けられてなるとともに縦方向に長さを有し紙等のシート類を挟むバインダー用金具と、を備え、
前記表紙部、背表紙部及び裏表紙部の表面には、前記請求項１記載の発明を構成する可撓性板材が縦方向に長さを有した木目が位置した状態で露出し、該表紙部、背表紙部及び裏表紙部の裏面には、前記可撓性を有するシート体又は前記請求項２記載の発明を構成する他の可撓性板材が縦方向に長さを有した木目が位置した状態で露出してなることを特徴とするファイル用文具カバー。
【請求項５】
前記バインダー用金具と前記背板部の裏面との間には、縦方向に木目を有してなるとともに前記背板部の幅よりも広い幅に成形された長方形状の可撓性板材からなる折曲規制板が配置されてなり、
上記折曲規制板の背面の左右両側と、前記表紙部の基端側及び裏表紙の基端側の裏面とは離間され、該表紙部と裏表紙とが開かれた状態から閉じられた状態に操作された際に、該折曲規制板により、該表紙部の基端側及び裏表紙の基端側が背板部に対して円弧状に湾曲されることを特徴とする請求項４記載のファイル用文具カバー。
【発明の詳細な説明】
【技術分野】
【０００１】
本発明は、シート状積層体及びこのシート状積層体を使用したブックカバー又はファイル用カバーに関し、特に、可撓性板材の表面又は裏面に、又は、該可撓性板材と可撓性板材との間にシート体を介在させてなるシート状積層体及びこのシート状積層体を使用したブックカバー又はファイル用文具カバーに関するものである。
【背景技術】
【０００２】
天然木から得られるこれまでの板材は、含水率の変化により膨張又は収縮するばかりではなく、極めて柔軟性に欠くことから、これまででは建築材料や家具等のように、極めて限定された用途にのみ使用され、ブックカバーやバインダー又はシステム手帳のカバーやファイルのカバー等のファイル用文具カバー等の文具又は雑貨等のように、その製品の機能又は用途により湾曲されることが必要な部材として使用することはできない。
【０００３】
ところで、本出願人は、上記板材又は木材が有する課題を解決する木材の改質処理方法を提案した（特許文献１参照）。この改質処理方法は、木材を所定の圧力の水蒸気雰囲気内等で煮沸することにより軟化させ、その後に上記雰囲気内等において、上記軟化された木材を所定の体積又は所定の断面積となるように機械的に圧縮保持し、上記雰囲気内で上記圧縮状態を解除し、上記圧縮された木材を上記軟化時における体積未満の体積となるまで復元させるとともに、上記雰囲気内の温度を上昇させる等させ、所定の時間内この状態を保持すると言った一連の工程を備えたものである。こうした改質処理方法によれば、これまでの木材に比べて大きく湾曲させることができる木材又は板材を得ることができる。
【先行技術文献】
【特許文献】
【０００４】
【特許文献１】特許第４３５３５３１号公報
【発明の概要】
【発明が解決しようとする課題】
【０００５】
しかしながら、上述した従来の木材の改質処理方法により処理された木材又は板材であっても、湾曲可能な程度（曲率）には制約があり、板厚が厚ければ厚いほど、その曲率は小さなものとなり、薄く加工すればするほど、その曲率は大きなものとなるが、その反面において、該板厚により機械的強度は脆弱となり、割れが発生する危険性が増大してしまうことから、製品の機能又は用途により湾曲されることが必要な部材として使用する範囲は限られてしまう。また、上記木材の改質処理方法では、木材を煮沸し、機械的に圧縮する工程を採用することから、加工後に得られる木材又は板材の長さ又は幅は、加工する機械装置構造又は金型のサイズにより、極めて限定されたものとならざるを得ない。
【０００６】
そこで、本発明は、上述した改質処理方法により製造された木材又は板材が有する課題を解決するために提案されたものであって、可能な限り曲率を大きくすることができ、また機械的強度にも優れるとともに、上記加工機械等により制約されるサイズよりも長尺なサイズとすることができ、ひいては製品の機能又は用途により湾曲されることが必要な部材として使用する範囲を拡大することができる新規なシート状積層体及びこのシート状積層体を使用したブックカバー等を提供することを目的とするものである。
【課題を解決するための手段】
【０００７】
本発明は、上述した目的を達成するために提案されたものであり、第１の発明（請求項１記載の発明）は、可撓性板材を用いたシート状積層体に係るものであって、表面に木目が平行に形成された可撓性板材の表面又は裏面の何れか一方に、可撓性を有するシート体が接着手段により接着されてなるシート状積層体であって、上記可撓性板材は、全体が０．１ｍｍ〜２．０ｍｍの板厚とされてなるとともに、上記木目の長さ方向とは直交する方向に複数接着剤を介して積層されて板状とされてなることを特徴とするものである。
【０００８】
上記第１の発明に係るシート状積層体は、少なくとも、上記可撓性板材とシート体との二層により構成され、該可撓性板材とシート体とは接着剤又は両面接着テープ等の接着手段により接着固定されている。そして、上記可撓性板材は、全体の板厚が０．１mm〜２．０ｍｍとされているとともに、上記木目の長さ方向とは直交する方向に複数接着剤を介して積層されて板状とされてなる。換言すれば、この可撓性板材は、先に説明した特許文献１に開示された木材の改質処理方法により得られ（例えば）方形状に成形された板材（以下、圧縮加工板材と言う。）を、該圧縮加工板材の側面に形成された多数の木目の方向とは直交する方向に、接着剤を用いて多数枚積層することによって、立方体状積層体を製造し、この立方体状積層体の側面を切削加工又はスライス加工することにより得られたものである。上記圧縮加工板材の側面には、それぞれ平行の木目が形成されており、上記立方体状積層体の側面にも該立方体状積層体の上方から下方に亘ってそれぞれ平行な木目が形成されている。したがって、上記立方体状積層体を、所定の切削刃又はスライス刃を使用して切削加工又はスライス加工することにより、上記厚さの可撓性板材が得られる。
【０００９】
したがって、この第１の発明に係るシート状積層体では、上記可撓性板材全体の板厚が０．１mm〜２．０ｍｍとされてなることから、極めて大きな曲率をもって湾曲するばかりか、該可撓性板材には上記シート体が接着されてなることから、機械的強度にも優れ、さらには、上記木目の長さ方向とは直交する方向に複数接着剤を介して積層されて板状とされてなることから、先に説明した加工機械等により制約されるサイズよりも長尺なサイズとすることができ、ひいては製品の機能又は用途により湾曲されることが必要な部材としての使用範囲をさらに大きく拡大することができる。
【００１０】
なお、上記可撓性を有するシート体とは、例えば、上質紙、コート紙、アート紙、再生紙、又は、和紙等の紙製シートや、織布、不織布等の布巾からなるシートであっても良いし、天然皮革又は合成皮革であっても良い。また、上記紙製シートや布巾からなるシートを構成する繊維は天然繊維であっても合成繊維であっても良い。
【００１１】
また、第２の発明（請求項２記載の発明）は、上記第１の発明において、前記シート体には、前記可撓性板材が積層された面とは反対の面に該可撓性板材と同じ方向に木目が形成された他の可撓性板材が接着手段を介して積層されてなることを特徴とするものである。
【００１２】
この第２の発明に係るシート状積層体によれば、前記シート体は、上記可撓性板材と他の可撓性板材とにより挟まれた状態で積層されてなるとともに、上記他の可撓性板材の木目は、上記可撓性板材の木目と同じ方向に形成されてなることから、シート状積層体全体を大きく湾曲させることができるとともに、該可撓性板材と他の可撓性板材との間には上記可撓性を有するシート体が介在されていることから、機械的強度にも優れ容易に割れる危険性を防止することができる。
【００１３】
なお、この第２の発明係るシート状積層体では、上記可撓性を有するシート体は、上質紙、コート紙、アート紙、再生紙、又は、和紙等の紙製シート或いは、フィルム等を用いることができる。
【００１４】
また、第３の発明（請求項３記載の発明）は、上記第１の発明に係るシート状積層体を使用したブックカバーに係るものであって、前記シート状積層体により方形状に成形され、書籍の表紙、裏表紙及び背表紙をカバーする本体部と、この本体部の左側中途部又は右側中途部に形成された折り返し部と、この折り返し部を介して上記本体部に連続してなり上記書籍に挟み込まれる折り返し片部と、を備え、上記シート状積層体の表面は、縦方向に長さを有した木目が位置した状態で前記可撓性板材が外部に露出し、裏面には０．５ｍｍ〜３．０ｍｍの厚みの天然皮革又は合成皮革が前記シート体として配置されてなることを特徴とするものである。
【００１５】
上記第３の発明に係るブックカバーによれば、上記第１の発明に係るシート状積層体が主体として構成されてなるものであり、縦方向に長さを有した木目が位置した状態で前記可撓性板材が外部に露出してなることから、書籍の背表紙に対応する部位は、書籍の開閉に伴って湾曲することが可能であるばかりではなく、上記折り返し片部を折り返す際の起点となる折り返し部は、必ず内側に上記０．５ｍｍ〜３．０ｍｍの厚みの天然皮革又は合成皮革が存在していることから、外側に位置する可撓性板材が短い径で折曲されることが該天然皮革又は合成皮革により阻止される。したがって、このブックカバーによれば、外側に配置された可撓性板材の左端側中途部又は右側中途部は、上記折り返し部を起点として折り返し片部を繰り返して折り返したり伸ばしたり（広げたり）しても容易に割れる危険性が無い。
【００１６】
また、第４の発明（請求項４記載の発明）は、上記第１又は第２の発明に係る何れかのシート状積層体を使用したファイル用文具カバーであって、前記第１又は第２の発明に係るシート状積層体により方形状に成形された表紙部と、この表紙部の一側に連続してなる背表紙部と、この背表紙部の一側に連続してなる裏表紙部と、上記背表紙部の内側に取り付けられてなるとともに縦方向に長さを有し紙等のシート類を挟むバインダー用金具と、を備え、前記表紙部、背表紙部及び裏表紙部の表面には、第１の発明を構成する可撓性板材が縦方向に長さを有した木目が位置した状態で露出し、該表紙部、背表紙部及び裏表紙部の裏面には、前記可撓性を有するシート体又は前記他の可撓性板材が縦方向に長さを有した木目が位置した状態で露出してなることを特徴とするものである。
【００１７】
この第４の発明に係るファイル用文具カバーによれば、上記第１又は第２の発明に係るシート状積層体を構成する可撓性板材が、縦方向に長さを有した木目が位置した状態で前記表紙部、背表紙部及び裏表紙部の表面を構成し、また、これらの裏面は、上記第１の発明を構成するシート体又は前記他の可撓性板材が縦方向に長さを有した木目が位置した状態で露出してなることから、上記バインダー用金具により紙片その他を綴じることができるだけではなく、開閉の繰り返しにより割れる危険性を有効に回避することができる。
【００１８】
なお、上記ファイル用文具カバーは、所謂複数枚の用紙を綴じるバインダーファイルばかりではなく、リフィルが閉じられる上記バインダー用金具を備えたシステム手帳であってもよい。
【００１９】
また、第５の発明（請求項５記載の発明）は、上記第４の発明において、前記バインダー用金具と前記背板部の裏面との間には、縦方向に木目を有してなるとともに前記背板部の幅よりも広い幅に成形された長方形状の可撓性板材からなる折曲規制板が配置されてなり、上記折曲規制板の背面の左右両側と、前記表紙部の基端側及び裏表紙の基端側の裏面とは離間され、該表紙部と裏表紙とが開かれた状態から閉じられた状態に操作された際に、該折曲規制板により、該表紙部の基端側及び裏表紙の基端側が背板部に対して円弧状に湾曲されることを特徴とするものである。
【００２０】
上記第５の発明に係るファイル用文具カバーでは、折曲規制板の背面の左右両側と、前記表紙部の基端側及び裏表紙の基端側の裏面とは離間され、該表紙部と裏表紙とが開かれた状態から閉じられた状態に操作された際に、該折曲規制板により、該表紙部の基端側及び裏表紙の基端側が背板部に対して円弧状に湾曲されることから、この発明によれば、背板部に対して表紙部の基端側及び裏表紙の基端側が折曲されることが無い。したがって、この発明によれば、より一層シート状積層体を構成する可撓性板材及び／又は他の可撓性板材に割れが発生する危険性を防止することができる。
【発明の効果】
【００２１】
上記第１の発明（請求項１記載の発明）に係るシート状積層体では、上記可撓性板材全体の板厚が０．１mm〜２．０ｍｍとされてなることから、極めて大きな曲率をもって湾曲するばかりか、該可撓性板材には上記シート体が接着されてなることから、機械的強度にも優れ、さらには、上記木目の長さ方向とは直交する方向に複数接着剤を介して積層されて板状とされてなることから、先に説明した加工機械等により制約されるサイズよりも長尺なサイズとすることができ、ひいては製品の機能又は用途により湾曲されることが必要な部材としての使用範囲を大きく拡大することができる。
【００２２】
また、第２の発明（請求項２記載の発明）に係る板材のシート状積層体によれば、前記シート体は、上記可撓性板材と他の可撓性板材とにより挟まれた状態で積層されてなるとともに、上記他の可撓性板材の木目は、上記可撓性板材の木目と同じ方向に形成されてなることから、シート状積層体全体を大きく湾曲させることができるとともに、該可撓性板材と他の可撓性板材との間には上記可撓性を有するシート体が介在されていることから、機械的強度にも優れ容易に割れる危険性を防止することができる。
【００２３】
また、第３の発明（請求項３記載の発明）に係るブックカバーによれば、上記第１の発明に係るシート状積層体が主体として構成されてなるものであり、縦方向に長さを有した木目が位置した状態で前記可撓性板材が外部に露出してなることから、書籍の背表紙に対応する部位は、書籍の開閉に伴って湾曲することが可能であるばかりではなく、上記折り返し片部を折り返す際の起点となる折り返し部は、必ず内側に上記０．５ｍｍ〜３．０ｍｍの厚みの天然皮革又は合成皮革が存在していることから、外側に位置する可撓性板材が短い径で折曲されることが該天然皮革又は合成皮革により阻止される。したがって、このブックカバーによれば、外側に配置された可撓性板材の左端側中途部又は右側中途部は、上記折り返し部を起点として折り返し片部を繰り返して折り返したり伸ばしたり（広げたり）しても容易に割れる危険性が無い。
【００２４】
また、第４の発明（請求項４記載の発明）に係るファイル用文具カバーによれば、上記第１又は第２の発明に係るシート状積層体を構成する可撓性板材が、縦方向に長さを有した木目が位置した状態で前記表紙部、背表紙部及び裏表紙部の表面を構成し、また、これらの裏面は、上記第１の発明を構成するシート体又は前記他の可撓性板材が縦方向に長さを有した木目が位置した状態で露出してなることから、上記バインダー用金具により紙片その他を綴じることができるだけではなく、開閉の繰り返しにより割れる危険性を有効に回避することができる。
【００２５】
上記第５の発明（請求項５記載の発明）に係るファイル用文具カバーによれば、開閉の繰り返しにより、シート状積層体を構成する可撓性板材及び／又は他の可撓性板材に割れが発生する危険性をより一層防止することができる。
【図面の簡単な説明】
【００２６】
【図１】本発明の実施の形態に係るブックカバーを示す斜視図である。
【図２】図１に示すブックカバーの裏面図である。
【図３】図１に示すブックカバーを拡大して示す断面図である。
【図４】図１に示すブックカバーの正面の一部を拡大して示す正面図である。
【図５】木材が接着剤を介して積層固定された立方体状積層体を示す斜視図である。
【図６】第２の実施の形態に係るシステム手帳用カバーを示す斜視図である。
【図７】カバー本体を拡大して示す断面図である。
【図８】図６に示すシステム手帳用カバーの分解斜視図である。
【発明を実施するための形態】
【００２７】
以下、本発明を実施するための最良の形態に係る板材のシート状積層体について、図面を参照しながら詳細に説明する。先ず、第１の実施の形態に係るシート状積層体を用いたブックカバーについて説明する。
【００２８】
このブックカバー１は、図１に示すように、縦方向に長さを有する多数の木目が形成された可撓性板材２と、この可撓性板材２の裏面に図示しない両面接着テープを介して接着されたシート体３とを備えてなるものである。上記可撓性板材２とシート体３とからなる積層体は、本発明に係るシート状積層体である。上記シート体３は、天然皮革からなるものであり、約１ｍｍの厚さとされている。なお、上記可撓性板材２の詳細は後述する。
そして、図２に示すように、このブックカバー１は、図示しない書籍の表表紙、裏表紙及び背表紙をカバーする本体部１ａと、この本体部１ａの右側中途部に形成された折り返し部１ｂと、この折り返し部１ｂを介して上記本体部１ａに連続してなり上記書籍に挟み込まれる折り返し片部１ｃと、を備えている。また、この実施の形態に係るブックカバー１では、図２に示すように、裏面の左側には、背面側に書籍の裏表紙の一部が挿入される挿入シート４が固定されている。この挿入シート４は、上記シート体３と同じ天然皮革が長方形状に成形されてなるものであり、該シート体３に対して、上端側、左端側及び下端側の三ヶ所で縫着されることにより内側に、上記書籍の裏表紙の一部が挿入されるポケットを形成している。また、図１、図２又は図３に示すように、このブックカバー１の裏面の中央よりもやや右側には、書籍の表表紙が挿通される挿通シート５が固定されている。この挿通シート５は、天然皮革により長方形状に成形されてなるものであり、上端側と下端側との二ヶ所で上記シート体３に縫着されている。
【００２９】
そして、上記シート状積層体を構成する可撓性板材２は、図１に示すように、このブックカバー１の表面を形成してなるものであって、図４に示すように、縦方向に長さを有する木目Ｇが、該ブックカバー１の左側から右側に亘って平行に形成されている。そして、上記可撓性板材２は、図４中実線で示す複数の可撓性板材単体２ａ、２ｂ、２ｃ・・・の左右両端で図示しない接着剤により接着されてなるものである。
【００３０】
そこで以下、上記可撓性板材２の製造方法について説明する。なお、以下に説明する製造方法は、先に説明した特許第４３５３５３１号公報に開示された方法を前提とするものである。
【００３１】
先ず、木材を０．１〜０．５ＭＰａの水蒸気雰囲気内で軟化させる（軟化工程）。この軟化工程において、木材を０．１〜０．５ＭＰａの水蒸気雰囲気内に置くと、該雰囲気中の水蒸気を吸収するとともに、木材自体の温度も上昇し、木材の軟化が進行する。なお、上記雰囲気内に数分ないし数十分放置することにより、上記木材の温度は、摂氏８０度〜１５０度に加熱される。また、こうした軟化工程は、加工処理する木材を収容することができる内部空間を備えた所定の高温高圧容器であって、上記内部空間内に高温の水蒸気を放出する水蒸気発生装置を備えたものを使用することができる。そして、こうした軟化工程が終了すると、次いで、圧縮保持工程を行う。この圧縮保持工程では、上述した軟化工程で軟化した木材を、載置台上に載置し、この載置台の上方に配置された昇降駆動部材を下降させ、載置台と昇降駆動部材とにより上記木材を圧縮する。なお、この木材に対する圧縮方向は、該木材の半径方向である。そして、この圧縮程度は、上記軟化した木材が約１／３〜２／３の体積、又は断面積で１／３〜２／３とする。こうした圧縮により、それまで円形に近い状態となっている木材の細胞は、空間部分が小さくなる。そして、上記圧縮保持工程が終了すると、次いで、復元保持工程を行う。この復元保持工程は、上記昇降駆動部材を、上記軟化工程で軟化された木材の高さの１０％程度上昇させるとともに、雰囲気内の温度を摂氏１５０度まで上昇させ、その高さにて該昇降駆動部材を固定する。こうした昇降駆動部材の動作により、それまで圧縮されていた木材は、再び変形が一部回復（復元）し該昇降駆動部材の下面の位置で保持される。そして、こうした復元保持工程により、空間が小さくなった木材の細胞は、やや回復する。そして、上記復元保持工程が終了すると、上記雰囲気中から加工処理された木材を取り出す。
【００３２】
上述した工程により得られた木材は、こうした加工処理を施さない木材と比べて、やや体積は小さなものとなるが、上述した工程を経て加工処理した後に、長方形状の棒に切断加工したものであり、長さ方向に多数の年輪が略平行に形成された柾目板である。こうした木材の両端側を、支持部材により支持するとともに、上方の中央から下方に荷重を掛けた場合、上述した加工処理が施されていない場合には、幾重にも形成された年輪の部位で割れるが、上述した加工処理を施した木材では、大きく湾曲する。また、上記加工処理を施した木材を圧縮した場合には、上記圧縮保持工程において圧縮した位置に近い位置まで可能であるとともに、伸張した場合には、上記圧縮保持工程で圧縮する以前の状態に近い位置まで伸張させることができる。このことからすれば、上記範囲内において、木材に柔軟性ないしは弾力性が付与されたものと理解することができる。
【００３３】
そして、こうした工程を経て製造された側面又は主面には多数の木目が形成された柾目板を、外部から上記木目が視認できる状態で、間に接着剤を塗布しながら複数枚積層することにより、図５に示すように、立方体状積層体Ｂを得る。図５に示す符号Ｐは、上述した工程により加工処理された木材であり、それぞれの木材（柾目板）Ｐ１、Ｐ２、Ｐ３・・・の木目Ｇは互いに平行とされている。そして、上記立方体状積層体Ｂの側面等、上記木目Ｇが形成された面を切削し又はスライス加工することにより、所定の厚みの板材を得る。こうした工程により得られた板材が、上記ブックカバー１を構成する可撓性板材２であり、図４に示す可撓性板材単体２ａ・・・２ｆは、図５に示す木材（柾目板）Ｐ１・・・Ｐ８に対応している。
【００３４】
したがって、上述した工程を経て製造された可撓性板材２とシート体３とが両面接着テープにより固定され積層された可撓性シート状積層体を主要な要素として製造された上記ブックカバー１によれば、図示しない書籍を広げたり閉じたりする操作に対応して湾曲するとともに、上記折り返し片部１ｃを、上記折り返し部１ｂを起点として内側に折り返した場合であっても、内側には上記厚さのシート体３が介在されていることから、折り返し部１ｂにおいて折曲され割れてしまう危険性がない。
【００３５】
次に、第２の実施の形態を説明する。この第２の実施の形態は、先に説明した工程により製造された（一方及び他方の）二枚の可撓性板材１２、１４と、これら一方の可撓性板材１２と他方の可撓性板材１４との間にシート体１３を介在させたシート状積層体を用いたシステム手帳用カバー１１（ファイル用文具カバー）に係るものである。
【００３６】
このシステム手帳用カバー１１は、図６又は図８に示すように、上記シート状積層体からなるカバー本体１５と、このカバー本体１５の裏面中央に固定されたバインダー用金具１６と、折曲規制板１７とを備えてなるものである。
【００３７】
上記カバー本体１５は、表面及び裏面にそれぞれ上述した方法により得られた可撓性板材１２，１４が露出してなるものであり、それぞれ一方及び他方の可撓性板材１２，１４に形成された多数の木目Ｇは、それぞれ縦方向に長さを有した状態とされている。なお、上記一方及び他方の可撓性板材１２，１４の厚みは、それぞれ０．５ｍｍとされている。また、上記シート体１３は、この実施の形態においては、０．１ｍｍの厚みの和紙を用いており、上記一方及び他方の可撓性板材１２，１４に対して図示しない接着剤を介して接着されている。すなわち、カバー本体１５は、図７に示すように、上記一方の可撓性板材１２と上記シート体１３と他方の可撓性板材１４とから構成されたシート状積層体である。また、このカバー本体１５は、後述するバインダー用金具１６が固定される部位の左側が表紙部１５ａとされ、この表紙部１５ａに連続してなり上記バインダー用金具１６が固定される部位が背表紙部１５ｂとされ、この背表紙部１５ｂの右側に連続してなる部位が裏表紙部１５ｃとされている。また、このカバー本体１５の中央の上端側中途部には、第１の小孔１５ｄが形成され、下端側中途部には、第２の小孔１５ｅが形成されている。
【００３８】
また、上記バインダー用金具１６は、市販されているものであって、図示しないリフィルに形成されたそれぞれの開口に挿通され開閉自在に装着された円弧状のリング部半体２１ａ，２１ｂ、２２ａ，２２ｂ・・・２６ａ，２６ｂと、これらのリング部半体２１ａ，２１ｂ、２２ａ，２２ｂ・・・２６ａ，２６ｂを開放する一方及び他方の開放操作部２７とを有してなる金具本体２０と、この金具本体２０を上記カバー本体１５に固定する第１及び第２のネジ部材２８，２９と、この第１及び第２のネジ部材２８，２９に螺合する第３及び第４のネジ部材３０，３１（図８参照）とを備えている。
【００３９】
上記第１及び第２のネジ部材２８，２９は、図８に示すように、上記カバー本体１５に形成された第１又は第２の小孔１５ｄ，１５ｅよりも大径に成形された円盤部２８ａ，２９ａと、この円盤部２８ａ，２９ａの中央から起立してなるとともに内周には一方のネジ(符号は省略する。)が螺刻された円筒部２８ｂ，２９ｂとを有している。また、上記第２及び第４のネジ部材３０，３１は、上記第１又は第２の小孔１５ｄ，１５ｅよりも大径に成形された円盤状の回動操作部３０ａ，３１ａと、この回動操作部３０ａ，３１ａの中心から起立し周面には上記一方のネジに螺着する他方のネジ(符号は省略する。)が螺刻された軸部３０ｂ，３１ｂとから構成され、上記回動操作部３０ａ，３１ａの上面（軸部３０ｂ，３１ｂが形成された面とは反対側の面）には、図示しないマイナスドライバー等の先端が係合する溝部３０ｃ，３１ｃが形成されている。なお、上記バインダー用金具１６には、上記第１及び第２のネジ部材２８，２９を構成する円筒部２８ｂ，２９ｂが挿通される挿通穴１６ａ，１６ｂが形成されている。
【００４０】
また、上記折曲規制板１７は、図８に示すように、上記カバー本体１５の上下方向に長さを有してなるとともに、上記金具本体２０の幅及び上記背表紙部１５ｂよりも長い幅を有した長方形状に成形されている。また、この折曲規制板１７は、先に説明した可撓性板材からなり、その厚みは０．４ｍｍとされているとともに、木目Ｇは、上記カバー本体１５と同じ方向である縦方向とされている。また、この折曲規制板１７の上端側中途部には、上記円筒部２８ｂが挿通される小孔１７ａが形成され、下端側中途部には、上記円筒部２９ｂが挿通される小孔部１７ｂが形成されている。
【００４１】
したがって、上記実施の形態に係るシステム手帳用カバー１１によれば、上記バインダー用金具１６により図示しないリフィル等を装着することができるばかりではなく、上記表紙部１５ａや裏表紙部１５ｃを開いたり閉じたりすることができる（カバー本体１５を湾曲させることができる）。特に、この実施の形態に係るシステム手帳用カバー１１では、上記折曲規制板１７が配置されていることから、このシステム手帳用カバー１１を閉じる際においては、上記カバー本体１５は、表紙部１５ａと背表紙部１５ｂとの間や裏表紙部１５ｃと背表紙部１５ｂとの間で折曲されることが規制され、該表紙部１５ａと背表紙部１５ｂとの間と裏表紙部１５ｃと背表紙部１５ｂとの間は、必ず湾曲した状態とされることから、該カバー本体１５が割れる危険性を有効に回避することができる。
【００４２】
なお、上記第２の実施の形態に係るシステム手帳用カバー１１では、カバー本体１５の外側に露出する第１のネジ部材２８及び第２のネジ部材２９（及びこれらに螺着される第３及び第４のネジ部材３０，３１）を用いて、上記バインダー用金具１６をカバー本体１５に固定するタイプのものであるが、本発明に係るシステム手帳用カバー１１を構成するバインダー用金具は、少なくともリフィル等を固定できるものであれば上記タイプのものばかりではなく他のタイプのものを使用することができる。また、上記カバー本体１５の裏面には、先に説明した第１の実施の形態に係るブックカバー１のように、合成皮革又は天然皮革などからなるシート体が貼付（積層）されてなるものであってもよい。
【符号の説明】
【００４３】
１  ブックカバー
１ａ  本体部
１ｂ  折り返し部
２  可撓性板材
２ａ、２ｂ、２ｃ・・・２ｆ  可撓性板材単体
３  シート体
１１  システム手帳用カバー
１２，１４  可撓性板材
１５  カバー本体
１５ａ  表紙部
１５ｂ  背表紙部
１５ｃ  裏表紙部
１６  バインダー用金具
１７  折曲規制板
Ｇ  木目
Ｂ  立方体状積層体
Ｐ１，Ｐ２，Ｐ３・・・Ｐ８  木材（柾目板）
【図１】
2017154454.tif 000003
【図２】
2017154454.tif 000004
【図３】
2017154454.tif 000005
【図４】
2017154454.tif 000006
【図５】
2017154454.tif 000007
【図６】
2017154454.tif 000008
【図７】
2017154454.tif 000009
【図８】
2017154454.tif 000010